(57)【特許請求の範囲】
【請求項１】
コンクリート構造物を形成するに際し、型枠の外面に接して縦向き端太を所定間隔毎に設置し、該縦向き端太の外面に上下に所定間隔を隔てて横向きに角部締付具を介して端太止め管を設置してなるコンクリート構造物形成用型枠の組立構造であって、
前記角部締付具は、断面がく字状の折り曲げ形状をした板状材であり、その折り曲げ形状の角部両側の平板状部に端太止め管貫通孔を備え、前記端太止め管は、前記コンクリ−ト構造物の互いに端辺を介して隣り合う外面を構成する型枠に対応してそれぞれ互いに交差する向きに設置され、前記端太止め管貫通孔に前記端太止め管の端部を貫通させるとともに、前記角部締付具を緊張材を介して各型枠の型面押し付け側に締め付けたことを特徴としてなるコンクリート構造物形成用型枠の組立構造。
【請求項２】
前記角部締付具の平板状部の縁部に、前記緊張材を連結するための緊張材接続孔を設けてなる請求項１に記載のコンクリート構造物形成用型枠の組立構造。
【発明の詳細な説明】
【０００１】
【発明の属する技術分野】
本発明は、コンクリート壁、コンクリート柱等のコンクリート構造物を形成する際に、型枠の外側に縦向き端太を設置し、縦向き端太の外側に横向の端太止め管を設置し、端太止め管を内側へ押圧して型枠を締め付けるコンクリート構造物形成用型枠の組立構造に関する。
【０００２】
【従来の技術】
コンクリート壁、コンクリート柱等のコンクリート構造物を形成する際には、型枠の外側に、複数の縦向き端太を設置し、縦向き端太の外側に、複数の横向の端太止め管を設置して、端太止め管を内側へ押圧することにより、型枠を締め付けて、型枠の内側にコンクリートを打設するようにして施工が行われる。
【０００３】
【発明が解決しようとする課題】
上述のように型枠を締め付ける際に、端太止め管を内側へ押圧するには、例えば、ワイヤー等の緊張材を端太止め管に接続して緊張材を引っ張ることにより行われるが、端太止め管の数が多くなると作業が繁雑になる等の問題があった。
【０００４】
本発明は、このような従来の問題に鑑み、型枠を好適に締め付けることができるコンクリート構造物形成用型枠の組立構造の提供を目的としたものである。
【０００５】
【課題を解決するための手段】
上述の如き従来の問題を解決し、所期の目的を達成するための本発明の特徴は、コンクリート構造物を形成するに際し、型枠の外面に接して縦向き端太を所定間隔毎に設置し、該縦向き端太の外面に上下に所定間隔を隔てて横向きに角部締付具を介して端太止め管を設置してなるコンクリート構造物形成用型枠の組立構造であって、前記角部締付具は、断面がく字状の折り曲げ形状をした板状材であり、その折り曲げ形状の角部両側の平板状部に端太止め管貫通孔を備え、前記端太止め管は、前記コンクリ−ト構造物の互いに端辺を介して隣り合う外面を構成する型枠に対応してそれぞれ互いに交差する向きに設置され、前記端太止め管貫通孔に前記端太止め管の端部を貫通させるとともに、前記角部締付具を緊張材を介して各型枠の型面押し付け側に締め付けたことにある。
【０００６】
なお、前記角部締付具の平板状部の縁部には、前記緊張材を連結するための緊張材接続孔を設けることが好ましい。
【０００７】
【発明の実施の形態】
次に本発明の実施の形態を図面について説明する。図において、４０は角部締付具であり、角部締付具４０は、所定の角度で交差する（食い違う）向きに設置された横端太７３、７３（後述）に跨がって設置され、両側の横端太７３、７３を同時に型面押し付け側（コンクリート打設側）に押圧するようになっている。
【０００８】
角部締付具４０は、繊維強化合成樹脂材（ＦＲＰ）や鋼材等の剛性材をもって形成されており、図１に示すように、所定の角度で（例えば垂直に）隣り合った２つの平板状部４１、４１からなる、く字形断面を有する縦長板状になっている。そして、平板状部４１、４１には、所定の角度を成す２方向に向いた複数の横端太貫通孔４３、４３…（端太止め管貫通孔）が、上下に所定の間隔で、各平板状部４１に対して略垂直に開けられており、横端太貫通孔４３は、横端太７３（後述）の外径より稍大きな内径に形成されている。また、平板状部４１、４１の側縁部分には、緊張材接続部を構成する緊張材接続孔４５、４５…が開けられている。
【０００９】
また、図において、１０、１０…は外型枠を構成する型枠部材であり、型枠部材１０は、内面側（コンクリート打設側）にタイル５、５…を仮止め保持するタイル嵌合用凹部１１、１１…を備えており、表面に多数のタイル５、５…が固着されたコンクリート壁体を形成するようになっている。
【００１０】
型枠部材１０は、合成樹脂発泡体をもってブロック状に成形されており、図２に示すように、複数の型枠部材１０、１０…が、外周端面の係合用凹部１３、１３…と係合用凸部１４、１４…とを嵌合させるようにして上下左右に並べられ、更に、隣り合う型枠部材１０、１０が、外面側（コンクリート打設側と反対側）の格子状の補強用凸部１６、１６…の枠状の周縁部分をコ字形断面の板バネ状の連結具２０、２０…を介して挾み込まれるように相互に連結されて、外型枠を構成する。なお、型枠部材１０、１０の相互の連結は、粘着テープ等を両者の補強用凸部１６、１６の周縁部分に跨がって貼り付けたり、針金等を両者の補強用凸部の周縁部分に貫通させて縛り付けて行うこともできる。
【００１１】
このような型枠部材１０、１０…からなる外型枠を、コンクリート壁体角部の施工箇所において、図３に示すように、両側の外型枠が所定の角度で（例えば垂直に）隣り合うように設置し、コンクリート壁体の端辺を介して隣り合う外面を形成するようにする。そして、両側の外型枠に跨がって、角部連結具３０を、外面側（コンクリート打設側と反対側）に装着し、コンクリート壁体角部の両側の外型枠を所定の角度で連結する。
【００１２】
なお、角部連結具３０は、繊維強化合成樹脂材（ＦＲＰ）等をもって形成され、中央の型枠端面保持部３１（端面当接面３２、３２）と両側に所定の角度で（例えば垂直に）突出した型枠外面保持片３４、３４（外面当接面３５、３５）とからなっており、型枠外面保持片３４、３４の型枠係合部３７、３７…を型枠部材１０、１０…の補強用凸部１６、１６に囲まれた凹部に嵌合させるようにして容易に装着される。また、角部連結具３０の外面側（コンクリート打設側と反対側）には、縦向長尺状の補強突条３８、３８が、縦端太７１（後述）の太さに対応した突出高さで設けられ、縦向き端太を構成している。
【００１３】
また、型枠部材１０、１０…からなる外型枠と型枠兼用断熱パネル１からなる内型枠の内側（コンクリート打設側）に、図４に示すように、セパレーター６０を、それぞれ取付具６１、６２、フォームタイ６３、６６を介して装着する。フォームタイ６６は、外型枠の外側（コンクリート打設側と反対側）に突出して、横端太７３、７３（後述）を支持するようになっている。なお、セパレーター６０の装着は、型枠部材１０の任意の貫通孔形成用凹部１８に貫通孔１９を開け、この貫通孔１９に接続棒６５を挿通する形で行う。
【００１４】
そして、型枠部材１０、１０…からなる外型枠の外面側（コンクリート打設側と反対側）に、図５に示すように、縦向き端太を構成する角形鋼管等からなる縦向長尺状の複数の縦端太７１、７１…を、横方向（左右）に所定の間隔で、型枠部材１０、１０…の外面に当接するように設置し、仮止具２５を介して型枠部材１０と縦端太７１とを仮止する。なお、仮止具２５は、縦端太７１を抱持するコ字形の抱持部２７と、型枠部材１０の補強用凸部１６の横向部分に突き刺される鉤状部２８、２８とからなっている。また、型枠部材１０と縦端太７１との仮止は、針金等を型枠部材１０の補強用凸部１６に貫通させて縦端太７１に掛け回して縛り付けるようにしてもよい。
【００１５】
そして、縦向き端太を構成する縦端太７１、７１…、角部連結具３０の補強突条３８、３８の外側（コンクリート打設側と反対側）に、端太止め管を構成する丸形鋼管等からなる横向長尺状の複数の横端太７３、７３…を、図６に示すように、型枠部材１０の外面側に装着されたファームタイ６６に取付金具６８、ナット６９を介して固定する形で、縦方向（上下）に所定の間隔で、縦端太７１、７１…、補強突条３８、３８に当接するように設置する。
【００１６】
そして、コンクリート壁体角部の施工箇所においては、図７に示すように、所定の角度で隣り合った両側の外型枠の外側に、横端太７３、７３…を、端部が所定の角度で交差する（食い違う）方向に突出するように設置し、両側の横端太７３、７３…の端部に、角部締付具４０をこれらに跨がって装着する。角部締付具４０は、一方の平板状部４１の複数の横端太貫通孔４３、４３…に、角部施工箇所の一方の側の横端太７３、７３…の端部を挿通し、他方の平板状部４１の複数の横端太貫通孔４３、４３…に、他方の側の横端太７３、７３…の端部を挿通するようにして、角部施工箇所の両側の横端太７３、７３に跨がって装着することができる。
【００１７】
そして、角部締付具４０の両側縁の緊張材接続孔４５，４５にワイヤー等の緊張材７５，７５を接続し、この緊張材７５、７５を角部施工箇所の両側から横方向に引っ張って、角部締付具４０を介して両側の横端太７３、７３を内側（コンクリート打設側）に押圧し、型枠を締め付ける。従って、コンクリート壁体角部の両側の横端太７３、７３を共通の角部締付具４０を介して同時に内側に押圧することができるので、多数の横端太７３、７３…を使用する場合にも、作業を効率的に行うことができ、横端太７３、７３…を均等に押圧して型枠を好適に締め付けることができる。
【００１８】
なお、上述の実施の形態では、コンクリート壁体角部の隣り合う外面を形成する外型枠を、角部連結具３０を介して連結する場合について述べたが、図８に示すように、隣り合って配置される両側の型枠部材１０、１０の側端面に、それぞれ、対応する凸形、凹形の角部係合部材８、９を接着剤等により固着しておき、角部係合部材８、９を嵌合させ、その外面側に粘着テープ７を貼り付けて、両側の型枠部材１０、１０を所定の角度で相互に連結するようにしてもよい。
【００１９】
なお、上述の実施の形態では、多数の合成樹脂発泡体製のブロック状の型枠部材を組み立ててなる型枠について述べたが、通常の合板等からなる型枠や、合成樹脂発泡体製の板状の型枠部材を合板等に固定してなる型枠にも適用することができる。
【００２０】
【発明の効果】
上述のように、本発明は、断面がく字状の折り曲げ形状をした板状の角部締付具に端太止め管貫通孔を設け、共通の角部締付具に複数の端太止め管の端部を貫通させ、角部締付具に緊張材を接続して、共通の角部締付具を介して複数の端太止め管を内側に押圧して、型枠を締め付けるようにしたので、作業を効率的に行うことができると共に、複数の端太止め管を均等に押圧して型枠を好適に締め付けることができる。
【図面の簡単な説明】
【図１】  角部締付具の斜視図である。
【図２】  外型枠を構成する複数の型枠部材の組み立て状態を示す背面図である。
【図３】  コンクリート壁体角部における両側の外型枠の相互の連結状態を示す横断面図である。
【図４】  外型枠へのファームタイの取付状態を示す縦断面図である。
【図５】  外型枠の外側への縦端太の設置状態を示す横断面図である。
【図６】  縦端太の外側への横端太の設置状態を示す縦断面図である。
【図７】  角部締付具による型枠の締付状態を示す横断面図である。
【図８】  コンクリート壁体角部における両側の外型枠の相互の連結状態の別の例を示す横断面図である。
【符号の説明】
１  断熱パネル（内型枠）
５  タイル
７  粘着テープ
８、９  角部係合部材
１０  型枠部材（外型枠）
１１  タイル嵌合用凹部
１３  係合用凹部
１４  係合用凸部
１６  補強用凸部
１８  貫通孔形成用凹部
１９  貫通孔
２０  連結具
２５  仮止具
２７  抱持部
２８  鉤状部
３０  角部連結具
３１  型枠端面保持部
３２  端面当接面
３４  型枠外面保持片
３５  外面当接面
３７  型枠係合部
３８  補強突条（縦向き端太）
４０  角部締付具
４１  平板状部
４３  横端太貫通孔（端太止め管貫通孔）
４５  緊張材接続孔
６０  セパレーター
６１  取付具
６２  取付具
６３  フォームタイ
６５  接続棒
６６  フォームタイ
６８  取付金具
６９  ナット
７１  縦端太（縦向き端太）
７３  横端太（端太止め管）
７５  緊張材
【図１】
0003870383.tif 000002
【図２】
0003870383.tif 000003
【図３】
0003870383.tif 000004
【図４】
0003870383.tif 000005
【図５】
0003870383.tif 000006
【図６】
0003870383.tif 000007
【図７】
0003870383.tif 000008
【図８】
0003870383.tif 000009